(57)【要約】      （修正有）【課題】組み付け作業性などを配慮するととともに、振動に伴う接続性を向上させ、導通不良の発生を防止することが可能な表示装置を提供する。【解決手段】表示素子４と、表示素子４を駆動するための回路基板６と、回路基板６上に設けられた電気コネクタ８と、電気コネクタ８と表示素子４とを電気的に接続するフレキシブルプリント配線板（ＦＰＣ）９とを備えた表示装置において、表示素子４の背後に配置され、回路基板６を固定する固定部材７と、固定部材７に設けられ、ＦＰＣ９の引き回し方向を案内するガイド部材７０と、ＦＰＣ９の接続端に設けられる補強部材９０と、補強部材９０から外方に突出する一対の耳片部９１と、ガイド部材７０に設けられ、ＦＰＣ９の接続端に設けられた接触部を電気コネクタ８に挿入させた際に、耳片部９１を止める位置規制部７２と、を備えてなることを特徴とする表示装置。【選択図】図３
2011112890.tif 000002
【特許請求の範囲】
【請求項１】
情報を表示する表示素子と、前記表示素子を駆動するための回路基板と、前記回路基板上に設けられた電気コネクタと、前記電気コネクタと前記表示素子とを電気的に接続するためのフレキシブルプリント配線板とを備えた表示装置において、前記表示素子の背後に配置され、前記回路基板と固定状態に配置される固定部材と、前記固定部材に設けられ、前記フレキシブルプリント配線板の引き回し方向を案内するガイド部材と、前記ガイド部材とほぼ直交する状態で前記回路基板上に配置される電気コネクタと、前記フレキシブルプリント配線板の前記電気コネクタとの接続端に設けられる補強部材と、前記補強部材から外方に突出する一対の耳片部と、前記ガイド部材に設けられ、前記フレキシブルプリント配線板の前記接続端に設けられた接触部を前記電気コネクタに挿入させた際に、前記耳片部を止める位置規制部と、を備えてなることを特徴とする表示装置。
【請求項２】
前記ガイド部材は、前記フレキシブルプリント配線板の幅寸法に合わせてその両側に前記固定部材から一体にガイド壁部を突設して設けてなることを特徴とする請求項１に記載の表示装置。
【請求項３】
前記位置規制部は、前記フレキシブルプリント配線板に設けた一対の耳片部を支持する係止壁部からなることを特徴とする請求項１に記載の表示装置。
【請求項４】
前記係止壁部には、前記フレキシブルプリント配線板に設けた耳片部を案内する傾斜面部と、その傾斜面部の最深部側にて前記耳片部を支持する立ち上がり壁面部と、を備えてなることを特徴とする請求項３に記載の表示装置。
【請求項５】
前記回路基板上に前記表示素子を照明するための光源を設け、前記固定部材は透過性の合成樹脂製からなる導光部材によって形成してなることを特徴とする請求項１ないし請求項４のいずれかに記載の表示装置。
【発明の詳細な説明】
【技術分野】
【０００１】
本発明は、例えば自動車やオートバイ、建設機械、農耕機械などの車両に搭載される表示装置に関し、特に表示装置に備えられた情報を表示する表示素子と、表示素子を駆動するための回路基板とを電気的に接続するためのフレキシブルプリント配線板の引き回し構造に関するものである。
【背景技術】
【０００２】
従来の車両などに搭載される表示装置として、本願出願人は特許文献１などに示すような構成を提案している。当該特許文献１による表示装置にあっては、例えばステッピングモータなどからなる駆動源と、この駆動源を通じて駆動軸を介して回転する指針と、この指針に対応した目盛や数字等の指標部を設けてなる表示板とを有し、指針によって指標部を指示する指針式の表示手段と、観察者から見て指針の回転中心領域およびその周囲に位置する表示板領域を透過不能に覆うとともに、指針の自由端側領域および指標部を含む表示板領域を視認できるように前記指針式の表示手段上に設けられる液晶表示パネルからなる表示素子と、観察者とは反対側に設けられ指針および表示板（指標部）とともに入力信号に応じて所定情報を表示する情報表示部が設けられた液晶表示パネルからなる表示素子を照明する光源と、この光源の光を指針、表示板の指標部および液晶表示パネルからなる表示素子へと導く導光体とを備えている。
【０００３】
そして、光源の点灯により導光体を介して指針、表示板の指標部を背後から照明表示するとともに、液晶表示パネルなどからなる表示素子を導光体を通じてその背後から照明光を導き入れ透過照明するように構成している。
【０００４】
また導光体の背後には光源が実装された回路基板を備えており、この回路基板に電気コネクタを配設し、表示装置を構成する表示素子から引き出し形成されたフレキシブルプリント配線板の接触部を電気コネクタと電気的に接続するようにしている。
【０００５】
【特許文献１】特開２００９−５３１７７号公報
【発明の開示】
【発明が解決しようとする課題】
【０００６】
ところで、前述の特許文献１などにおける表示装置は、過酷な条件下で使用される車両用表示として用いられることがあり、表示素子から引き回し配線されるフレキシブルプリント配線板の接触部分が電気コネクタから外れる虞があったり、製造工程上の接続ミスなどによって導通不良が生じる虞があった。
【０００７】
そこで本発明は、前述の問題点に着目し、組み付け作業性などを配慮するととともに、振動に伴う接続性を向上させ、導通不良の発生を防止することが可能な表示装置を提供することを目的とするものである。
【課題を解決するための手段】
【０００８】
本発明は前述した課題を解決するため、請求項１では、情報を表示する表示素子と、前記表示素子を駆動するための回路基板と、前記回路基板上に設けられた電気コネクタと、前記電気コネクタと前記表示素子とを電気的に接続するためのフレキシブルプリント配線板とを備えた表示装置において、前記表示素子の背後に配置され、前記回路基板と固定状態に配置される固定部材と、前記固定部材に設けられ、前記フレキシブルプリント配線板の引き回し方向を案内するガイド部材と、前記ガイド部材にほぼ直交する状態で前記回路基板上に配置される電気コネクタと、前記フレキシブルプリント配線板の前記電気コネクタとの接続端に設けられる補強部材と、前記補強部材から外方に突出する一対の耳片部と、前記ガイド部材に設けられ、前記フレキシブルプリント配線板の前記接続端に設けられた接触部を前記電気コネクタに挿入させた際に、前記耳片部を止める位置固定部と、を備えてなることを特徴とする表示装置である。
【０００９】
このように構成することにより、固定部材に設けられたガイド部材に沿ってフレキシブルプリント配線板を引き回し配設することができ組み付け作業性を良好に行うことができる。この際、フレキシブルプリント配線板の接続端に設けた補強部材によって電気コネクタ側への差し込み作業を安定的にしかもフレキシブルプリント配線板の端部側を保護しながらガイド部材に沿って送り込むことができる。また、ガイド部材に沿って保持することが可能となるため振動に伴う接続性を良好に保つことができ、導通不良の発生を防止することが可能となる。
【００１０】
また請求項２では、請求項１に記載の表示装置において、前記ガイド部材は、前記フレキシブルプリント配線板の幅寸法に合わせてその両側に前記固定部材から一体にガイド壁部を突設して設けてなることを特徴とするものである。
【００１１】
このように構成することにより、ガイド壁部によりフレキシブルプリント配線板の横方向のズレを抑制することが可能となる。
【００１２】
また請求項３では、請求項１に記載の表示装置において、前記位置規制部は、前記フレキシブルプリント配線板に設けた一対の耳片部を支持する係止壁部からなることを特徴とするものである。
【００１３】
このように構成することにより、フレキシブルプリント配線板の補強部箇所に設けた一対の耳片が係止壁部に抜け止め状態にて保持されるため、電気コネクタとフレキシブルプリント配線板の接続端である補強部材箇所との組み付け位置を安定に保つことができ、耐震性に優れたものとなり、振動雰囲気中においても振動に伴う接続性を良好に保つことができ、導通不良の発生を防止することが可能となる。
【００１４】
また請求項４では、請求項３に記載の表示装置において、前記係止壁部には、前記フレキシブルプリント配線板に設けた耳片部を案内する傾斜面部と、その傾斜面部の最深部側にて前記耳片部を支持する立ち上がり壁面部と、を備えてなることを特徴とするものである。
【００１５】
このように構成することにより、回路基板上に設けた電気コネクタに対し、フレキシブルプリント配線板の接続端側となる補強部材側を電気コネクタに差し込みながらセットする際に、係止壁部に設けた傾斜面部によってフレキシブルプリント配線板に設けた耳片部を案内しながら送り込むことができ、組み付け操作性を高めることができる。
【００１６】
また請求項５では、請求項１ないし請求項４のいずれかに記載の表示装置において、前記回路基板上に前記表示素子を照明するための光源を設け、前記固定部材は透過性の合成樹脂製からなる導光部材によって形成してなることを特徴とするものである。
【００１７】
このように構成することにより、回路基板上に光源を実装するとともに、回路基板を固定保持する固定部材を導光部材によって形成することによって、表示素子を照明するための導光体を個別に設けることなく構成することができるため、部品点数を増やすことなく表示素子の照明手段となる構成部品を兼用することができ、新たなる部品の追加といった問題も解消することができ、コスト低減を図ることができる。
【発明の効果】
【００１８】
本発明による表示装置においては、回路基板上に実装した電気コネクタと表示素子とをフレキシブルプリント配線板を介して電気的に接続するようにした表示装置において、前記表示素子の背後に配置され、前記回路基板と固定状態に配置される固定部材と、前記固定部材に設けられ、前記フレキシブルプリント配線板の引き回し方向を案内するガイド部材と、前記ガイド部材にほぼ直交する状態で前記回路基板上に配置される電気コネクタと、前記フレキシブルプリント配線板の前記電気コネクタとの接続端に設けられる補強部材と、前記補強部材から外方に突出する一対の耳片と、前記ガイド部材に設けられ、前記フレキシブルプリント配線板の前記接続端に設けられた接触部を前記電気コネクタに挿入させた際に前記耳片を止める位置固定部と、を備えてなることを特徴とするものであるため、固定部材に設けられたガイド部材に沿ってフレキシブルプリント配線板を引き回し配設することができ組み付け作業性を良好に行うことができる。この際、フレキシブルプリント配線板の接続端に設けた補強部材によって電気コネクタ側への差し込み作業を安定的に、しかもフレキシブルプリント配線板の端部側を保護しながらガイド部材に沿って送り込むことができる。また、ガイド部材に沿って保持することが可能となるため振動に伴う接続性を良好に保つことができ、導通不良の発生を防止することが可能となり、初期の目的を達成することができる。
【図面の簡単な説明】
【００１９】
【図１】図１は、本発明の第１の実施形態である表示装置を示す正面図である。
【図２】図２は、図１の主要部である表示装置を示すＡ−Ａ線箇所の断面図である。
【図３】図３は、図２のケース体を除く表示装置の要部箇所を示す分解斜視図である。
【図４】図４は、第１の実施形態である表示装置の背面側から見たフレキシブルプリント配線板の引き回し構造の要部を示す斜視図である。
【図５】図５の（Ａ），（Ｂ）は、図４のフレキシブルプリント配線板の組み付け前と組み付け後の状態を示す平面図である。
【図６】図６の（Ａ），（Ｂ），（Ｃ）は、フレキシブルプリント配線板の組み付け前と組み付け途上および組み付け後の状態を示す概略断面図である。
【発明を実施するための最良の形態】
【００２０】
図１から図６は本発明の第１の実施形態を示すもので、以下、これらに基づいて本発明の実施形態をたとえばオートバイに搭載される表示装置を例にして説明する。
【００２１】
同図において、本実施形態による表示装置においては、下側の第１のケース体１ａと、上側の透視パネル（透明カバー）からなる第２のケース体１ｂと、によって全体のケース体１が形成され、このケース体１内に指針式の表示手段２と、第１、第２の見返し部材３ａ，３ｂと、液晶表示パネルからなる表示素子４と、この液晶表示パネルからなる表示素子４を支持する合成樹脂材料からなる支持部材５と、指針式の表示手段２や表示素子４を駆動する駆動回路部品を実装した回路基板６と、この回路基板６を固定保持する固定部材７と、回路基板６上に実装された電気コネクタ８と液晶表示素子４とを電気的に接続するためのフレキシブルプリント配線板９と、指針式の表示手段２および表示素子４を照明する光源１０と、で構成されている。
【００２２】
第１のケース体１ａは、観察者側に開口する遮光性の合成樹脂部品からなり、内部に指針式の表示手段２や液晶表示パネルからなる表示素子４などの内部に実装する部品を収納するようにしており、第２のケース体１ｂは、指針式の表示手段２および液晶素子４が透視できる第１のケース体１ａの開口側を覆う透明な合成樹脂部品からなっている。
【００２３】
第１の見返し部材３ａは、第１のケース体１ａの開口側に配置される遮光性の合成樹脂部品からなり、指針式の表示手段２の外周部所要領域を被覆する化粧枠体として機能と、支持部材５を支持する支持体としての機能を有している。
【００２４】
第２の見返し部材３ｂは、指針式の表示手段２および液晶表示パネルからなる表示素子４が視認できるように支持部材５と表示素子４の所要部を覆う遮光性の合成樹脂部品からなっている。
【００２５】
指針式の表示手段２は、計器本体である駆動源２１と、駆動源２１の作動によって指示される指針２２と、指針２２の指示を指し示す表示板２３と、表示板２３の指標部Ｍなどを透過照明する前記光源１０と、駆動源２１や光源１０を実装する前記回路基板６と、この回路基板６固定保持する透過性の合成樹脂材料からなる前記固定部材７とを有している。
【００２６】
回路基板６は、周知な硬質回路基板からなり、その観察者側の面（前面）には、図示しない回路パターンが形成され、その回路パターンに計器本体である駆動源２１と照明用の光源１０が実装されており、回路基板６の後面には、電気コネクタ８が実装されている。
【００２７】
光源１０は、例えば発光ダイオードからなり、駆動源２１の周囲に複数個配置されている。
【００２８】
計器本体である駆動源２１は、例えばステッピングモータからなり、モータ本体から突出する駆動軸２１ａに指針２２が連結され、計測量に応じて駆動軸２１ａが回転することで、指針２２による表示板２３上での指示を可能としている。
【００２９】
指針２２は、表示板２３の板面に沿って延びる指示部２２ａと、この指示部２２ａに装着されるキャップ状の透過部材（光拡散部材）２２ｂとで構成されている。
【００３０】
指示部２２ａは、透光性合成樹脂からなり、その回転中心領域ＲＡが駆動軸２１ａに連結されるとともに、透過性の合成樹脂材料による導光部材となる固定部材７からの光を受けて先端方向に反射する反射面２２ｃが形成されている。
【００３１】
さらに指針２２は、回転中心領域ＲＡとこの回転中心領域ＲＡに連なる指示部２２ａの部分領域と透過部材（光拡散部材）２２ｂとを含み、液晶表示パネルからなる表示素子４にて覆われて、観察者から視認されない第１の指針領域（透光領域）ＰＡ１と、指示部２２ａの先端から回転中心領域ＲＡ側に延び、液晶素子４に覆われず、観察者から視認される第２の指針領域ＰＡ２とを有し、これら第１，第２の指針領域ＰＡ１，ＰＡ２はそれぞれ観察者側に向けて光を透過できるように構成されている。
【００３２】
透過部材２２ｂは、光透過性もしくは半透過性の合成樹脂材料を用いて、回転中心部ＲＣの観察者側の面およびその側周部を覆うカップ形に形成され、前記観察者側の面には、光を拡散させて観察者側に透過させるために微細な凹凸形状からなる光拡散部（図示しない）が設けられている。なおこの光拡散部は、観察者側に透過する光のムラを解消する目的で採用されるものであるが、光拡散部で充分でない場合は、調光用の印刷や別途調光部材を設けてもよい。
【００３３】
表示板２３は、透光性を有する合成樹脂からなる基板からなり、この合成樹脂製の基板上には、第１の層２３ａおよび第２の層２３ｂとが施されている。
【００３４】
第１の層２３ａは、例えば白色等の光透過性インクを用いて、指針２２の第１の指針領域ＰＡ１の周囲に位置し、表示素子４によって覆われる第１の表示板領域（透光領域）ＤＡ１内に収まる範囲と、指針２２の指示対象となる指標部Ｍ箇所に印刷形成されている。
【００３５】
第２の層２３ｂは、例えば黒色の遮光性インクを用いて、第１の表示板領域ＤＡ１と指標部Ｍとなる箇所を除く領域、すなわち第１の表示板領域ＤＡ１の周囲に位置し、前記情報表示部によって覆われずに観察者から視認されるとともに指標部Ｍの背景となる第２の表示板領域ＤＡ２に印刷形成されている。
【００３６】
固定部材７は、透光性合成樹脂材料からなり、光源１０からの光を導入して指針２２および表示板２３に導き、これらを照明する。具体的には、導光部材である固定部材７によって光源１０の光を指針２３の回転中心領域ＲＡに供給する。供給光の一部は、反射面２２ｃを通じて反射されて、指示部２２ａを光輝させるとともに、供給光の他の一部は、透光領域となした第１の指針領域（透光領域）ＰＡ１を透過あるいは拡散透過して、液晶表示パネルからなる表示素子４を背後から照明する。一方、表示板２３に導かれた光は、指標部Ｍを透過することでこれを明るく照明するとともに、透光領域となした第１の表示板領域ＤＡ１を透過あるいは拡散透過して、表示素子４を背後から照明する。
【００３７】
表示素子４は、液晶が封入された一対のガラス基板と、半透過反射部材と、第１の偏光板と、第２の偏光板とを有し、入力信号に応じて例えば車速からなる所定情報を表示する。
【００３８】
表示素子４は、指針２２の回転中心領域ＲＡおよびその周囲に位置する表示板２３領域（第１の指針領域ＰＡ１および第１の表示板領域ＤＡ１）を透視不能に覆うように、支持部材５に保持される。
【００３９】
支持部材５、例えば透明な合成樹脂からなり、第２の指針領域ＰＡ２および第２の表示板領域ＰＡ２を透視可能に覆う覆い部５ａと、この覆い部５ａから連続して表示素子４に沿って延び、表示素子４を指針式の表示手段２上に空間を空けて支持するとともに第１の指針領域ＰＡ１と第１の表示板領域ＤＡ１とでなる前記透光領域を透過した光を表示素子４側に透過する支持部５ｂと、表示素子４を位置規制する周壁状の位置決め部５ｃとを有している。
【００４０】
また支持部材５背面には、前記透光領域から第２の表示板領域ＤＡ２側に向かう光、例えば透光領域を透過して表示素子４に向かう光のうち、表示素子４または支持部５ｂを通じて反射して、第２の表示板領域ＤＡ２側へ向かう光や、表示素子４または支持部５ｂと前記透光領域との間を相互反射しながら第２の表示板領域ＤＡ２側へ向かう光を遮光する遮光壁部５ｄが設けられている。
【００４１】
この遮光壁部５ｄは、支持部材５とは異なる遮光性合成樹脂を支持部材５内にインサート成形してなるもので、指針式の表示手段２に向けて伸びる遮光壁として前記透光領域の外周に沿って形成されている。
【００４２】
ところで、表示素子４と回路基板６との間を電気的に接続するフレキシブルプリント配線板９の引き回し構造として、本実施形態においては、以下の構造を採用している。
【００４３】
液晶表示パネルからなる表示素子４としては、前述したように従来から用いられている一般的な構造を採用しており、ＩＴＯからなる透明電極が形成された前側ガラス基板と後側ガラス基板とを重ね合わせて周囲を封止剤で固定した後、各ガラス基板間に液晶分子を封入し、各ガラス基板に例えばスモーク調の偏光膜を貼ったものである。
【００４４】
また表示素子４の後側ガラス基板の表面側の一端部にはフレキシブルプリント配線板９の一端部が固着されている。そして、フレキシブルプリント配線板９を通して液晶表示パネルからなる表示素子４の透明電極に外部測定量に応じた信号（電圧）が印加されると、表示素子４に例えば速度計など車両の運転状況が黒色で表示され、背景は発光ダイオードからなる光源１０の点灯によって透過照明されるように構成されている。
【００４５】
フレキシブルプリント配線板９は、詳細な構成については省略するが、例えばポリイミド樹脂からなる合成樹脂製のベースフィルムに、液晶表示パネルである表示素子４の電極部に接続される銅箔からなる導電部（導電回路）を例えばエッチング法で形成した後、絶縁保護となる保護フィルムを貼り合わせたものである。前述したように、液晶表示パネル１と接続されるフレキシブルプリント配線板９の一端部は表示素子４の後側ガラス基板の表面側に固着されている。フレキシブルプリント配線板９の他端側は回路基板６上に実装された電気コネクタ８と接続されるように設けられている。なお、電気コネクタ８は、開閉蓋体８ａによって一部を開閉可能に設けたコネクタ構造を採用している
【００４６】
またフレキシブルプリント配線板９の電気コネクタ８との接続端には、ポリイミド樹脂などからなる平板状の補強部材９０が積層されて設けられるとともに、この補強部材９０箇所にはフレキシブルプリント配線板９の幅方向に沿って一対の耳片部９１が突出して設けられている。
【００４７】
回路基板６を固定保持する固定部材７は、上述したように透光性の合成樹脂材料により形成され、フレキシブルプリント配線板９が引き回し配線される固定部材７の側端部箇所に、フレキシブルプリント配線板９の引き回し方向を定めるガイド部材７０が形成されている。この実施形態におけるガイド部材７０としては、フレキシブルプリント配線板９の幅寸法に合わせてその両側に固定部材７の側端部箇所から一体にガイド壁部７１がそれぞれ突設するように形成されるとともに、ガイド部材７０であるガイド壁部７１と連続してフレキシブルプリント配線板９に設けた一対の耳片部９１を支持する位置規制部となる係止壁部７２が立ち上がり形成されている。（図３から図６を参照）
【００４８】
また係止壁部７２は、図３から図６などに示すように、フレキシブルプリント配線板９に設けたそれぞれの耳片部９１を案内する傾斜面部７２ａと、その傾斜面部７２ａの最深部側にて耳片部９１を支持する立ち上がり壁面部７２ｂと、を備えている。
【００４９】
以上の通り、本実施形態では、情報を表示する表示素子４と、表示素子４を駆動するための回路基板６と、回路基板６上に設けられた電気コネクタ８と、電気コネクタ８と表示素子４とを電気的に接続するためのフレキシブルプリント配線板９とを備えた表示装置において、表示素子４の背後に配置され、回路基板６を固定する固定部材７と、固定部材７に設けられ、フレキシブルプリント配線板９の引き回し方向を案内するガイド部材７０と、ガイド部材７０とほぼ直交する状態で回路基板６上に配置される電気コネクタ８と、フレキシブルプリント配線板９の電気コネクタ８との接続端に設けられる補強部材９０と、補強部材９０から外方に突出する一対の耳片部９１と、ガイド部材７０に設けられ、フレキシブルプリント配線板９の接続端に設けられた接触部を電気コネクタ８に挿入させた際に、耳片部９１を止める位置規制部７２と、を備えてなることにより、固定部材７に設けられたガイド部材７０に沿ってフレキシブルプリント配線板９を引き回し配設することができ組み付け作業性を良好に行うことができる。この際、フレキシブルプリント配線板９の接続端に設けた補強部材９０によって電気コネクタ８側への差し込み作業を安定的にしかもフレキシブルプリント配線板９の端部側を保護しながらガイド部材７０に沿って送り込むことができる。また、ガイド部材７０に沿って保持することが可能となるため振動に伴う接続性を良好に保つことができ、導通不良の発生を防止することが可能となる。
【００５０】
またガイド部材７０は、フレキシブルプリント配線板９の幅寸法に合わせてその両側に固定部材７から一体にガイド壁部７１を突設して設けてなることにより、ガイド壁部７１によりフレキシブルプリント配線板９の横方向のズレを抑制することが可能となる。
【００５１】
またフレキシブルプリント配線板９に設けた一対の耳片部９１を支持する係止壁部７２による位置規制部によって、フレキシブルプリント配線板９の補強部材９０箇所に設けた一対の耳片部９１が係止壁部７２に抜け止め状態にて保持されるため、電気コネクタ８とフレキシブルプリント配線板９の接続端である補強部材９０箇所との組み付け位置を安定に保つことができ、耐震性に優れたものとなり、振動雰囲気中においても振動に伴う接続性を良好に保つことができ、導通不良の発生を防止することが可能となる。
【００５２】
また係止壁部７２には、フレキシブルプリント配線板９に設けた耳片部９１を案内する傾斜面部７２ａと、その傾斜面部７２ａの最深部側にて耳片部９１を支持する立ち上がり壁面部７２ｂと、を備えてなることにより、回路基板６上に設けた電気コネクタ８に対し、フレキシブルプリント配線板９の接続端側となる補強部材９０側を電気コネクタ８に差し込みながらセットする際に、図６（Ｂ）などに示すように、係止壁部７２に設けた傾斜面部７２ａによってフレキシブルプリント配線板９に設けた耳片部９１を案内しながら送り込むことができ、組み付け操作性を高めることができる。また組み付け後においては、立ち上がり壁面部７２ｂによって耳片部９１は抜け止め保持され、これにより電気コネクタ８に差し込まれたフレキシブルプリント配線板９の接続端側は抜け出る作用が抑制され、電気的な接続を安定に保つことができる。
【００５３】
また回路基板６上に表示素子４を照明するための光源１０を設け、固定部材７を透過性の合成樹脂製からなる導光部材によって形成してなることにより、表示素子４を照明するための導光体を個別に設けることなく構成することができるため、部品点数を増やすことなく表示素子４の照明手段となる構成部品を兼用することができ、新たなる部品の追加といった問題も解消することができ、コスト低減を図ることができ、これによりローコストの表示装置を提供することができる。  
【００５４】
なお本発明は、前記実施形態に限定されるものではなく本発明の要旨の範囲内において種々の変形実施が可能であり、例えば実施形態においては、指針式の表示手段２と、液晶表示パネルからなる表示素子４とを積層状態に配置した表示装置を例にして説明したが、指針式の表示手段を除去し、液晶表示パネルから表示素子４のみの構成からなる表示装置であっても、同様に回路基板６上に設けた電気コネクタ８と表示素子４とをフレキシブルプリント配線板９によって引き回し形成することができるものであり、また複数個の表示素子４を回路基板６へと電気的に引き回し形成する場合にあっても、前述した実施形態と同様な構成を採用することによって、それぞれの表示素子４からそれぞれフレキシブルプリント配線板９を介して良好に引き回し形成するが可能となる。
【００５５】
また回路基板６と固定状態に配置される固定部材７として、液晶表示パネル（表示素子）を支持する支持部材（ホルダー）と兼用してしても良いものであり、この場合にあっては、組み付け部品点数の削減を図ることも可能である。
【産業上の利用可能性】
【００５６】
また、前述した実施形態において詳述したように、オートバイなどの車両用の表示装置を例にして説明したが、車両用の表示装置に限らず船舶用計器あるいは農業用機械や建設機械などの特殊車両の計器装などにおいても適用することが可能であり、また液晶による表示装置に限らず、例えばＥＬ表示パネルからな表示素子を用いた表示装置においても同様な構成を採用することができるものであり、同様な効果を得ることが可能である。
【符号の説明】
【００５７】
１    ケース体
１ａ    下側の第１のケース体
１ｂ    上側の第２のケース体
２    指針式の表示手段
３ａ    第１の見返し部材
３ｂ    第２の見返し部材
４    表示素子
５    支持部材
５ａ    覆い部
５ｂ    支持部
５ｃ    位置決め部
５ｄ    遮光壁部      
６    回路基板
７    固定部材
８    電気コネクタ
９    フレキシブルプリント配線板
１０    光源
２１    駆動源
２１ａ    駆動軸
２２    指針
２２ａ    指示部
２２ｂ    透過部材
２２ｃ    反射面
２３    表示板
２３ａ    第１の層
２３ｂ    第２の層
７０    ガイド部材
７１    ガイド壁部
７２    係止壁部
７２ａ    傾斜面部
７２ｂ    立ち上がり壁面部
９０    補強部材
９１    耳片部
ＤＡ１    第１の表示板領域（透光領域）
ＤＡ２    第２の表示板領域
Ｍ    指標部
ＰＡ１    第１の指針領域（透光領域）
ＰＡ２    第２の指針領域
ＲＡ    回転中心領域
【図１】
2011112890.tif 000003
【図２】
2011112890.tif 000004
【図３】
2011112890.tif 000005
【図４】
2011112890.tif 000006
【図５】
2011112890.tif 000007
【図６】
2011112890.tif 000008